(57)【要約】【課題】絞りに対して像側にプラスチックレンズ同士を接合させた接合レンズを配置した構成において、温度変化に伴う焦点距離の変動や、温度変化に伴う画角の変動を低減することのできる広角レンズを提供すること。【解決手段】広角レンズ１００は、第１レンズ１０、第２レンズ２０、第３レンズ３０、第４レンズ４０、絞り９１、第５レンズ５０、および接合レンズ８０（第６レンズ６０、および第７レンズ７０）を有している。第１レンズ１０および第５レンズ５０はガラスレンズであり、第２レンズ２０、第３レンズ３０、第４レンズ４０、および接合レンズ８０はプラスチックレンズである。第３レンズ３０、第４レンズ４０、および第５レンズの合成焦点距離ｆ345、およびレンズ系全体の焦点距離ｆ0は、以下の条件式を満たしている。      １＜ｆ345／ｆ0＜１．５【選択図】図１
2019066645.tif 000002
【特許請求の範囲】
【請求項１】
物体側から像側に向けて配置された第１レンズ、第２レンズ、第３レンズ、第４レンズ、絞り、第５レンズ、第６レンズ、および第７レンズからなり、
前記第１レンズは、像側のレンズ面が凹曲面である負メニスカスレンズであり、
前記第２レンズは、像側のレンズ面が凹曲面である負メニスカスレンズであり、
前記第３レンズは、物体側のレンズ面が凹曲面であるメニスカスレンズであり、
前記第４レンズは、像側のレンズ面が凸曲面である正レンズであり、
前記第５レンズは、像側のレンズ面が凸曲面であるレンズであり、
前記第６レンズは、像側のレンズ面が凹曲面である負レンズであり、
前記第７レンズは、物体側のレンズおよび像側のレンズ面が凸曲面である両凸レンズであり、
前記第２レンズ、前記第３レンズ、前記第４レンズ、前記第６レンズ、および前記第７レンズはいずれも、プラスチックレンズであり、
前記第５レンズは、ガラスレンズであり、
前記第６レンズおよび前記第７レンズは、前記第６レンズの像側のレンズ面と前記第７レンズの物体側のレンズ面とが接合された接合レンズを構成しており、
前記第３レンズ、前記第４レンズ、および前記第５レンズの合成焦点距離をｆ345とし、レンズ系全体の焦点距離をｆ0としたとき、合成焦点距離ｆ345、および焦点距離ｆ0は、以下の条件式
１＜ｆ345／ｆ0＜１．５
を満たすことを特徴とする広角レンズ。
【請求項２】
前記第３レンズおよび前記第４レンズの合成焦点距離をｆ34とし、前記第５レンズの焦点距離をｆ5とし、レンズ系全体の焦点距離をｆ0としたとき、合成焦点距離ｆ34、焦点距離ｆ5、および焦点距離ｆ0は、以下の条件式
２＜ｆ34／ｆ0＜５．５
２＜ｆ5／ｆ0＜３
のいずれをも満たすことを特徴とする請求項１に記載の広角レンズ。
【請求項３】
前記第５レンズは、物体側のレンズ面、および像側のレンズ面が凸曲面である両凸レンズであり、
前記第６レンズは、物体側のレンズ面、および像側のレンズ面が凹曲面である両凹レンズであることを特徴とする請求項１または２に記載の広角レンズ。
【請求項４】
前記第５レンズの像側のレンズ面の光軸中心における曲率半径をＲ52とし、前記第６レンズの物体側のレンズ面の光軸中心における曲率半径をＲ61としたとき、曲率半径Ｒ52、Ｒ61は、以下の条件式
０．８＜Ｒ61／Ｒ52＜２．５
を満たすことを特徴とする請求項３に記載の広角レンズ。
【請求項５】
曲率半径Ｒ52、Ｒ61は、以下の条件式
０．９＜Ｒ61／Ｒ52＜１．１
を満たすことを特徴とする請求項４に記載の広角レンズ。
【請求項６】
前記第５レンズの物体側のレンズ面の光軸中心における曲率半径をＲ51とし、前記第５レンズの像側のレンズ面の光軸中心における曲率半径をＲ52としたとき、曲率半径Ｒ51、Ｒ52は、以下の条件式
｜Ｒ52｜≦｜Ｒ51｜
を満たすことを特徴とする請求項１から５までの何れか一項に記載の広角レンズ。
【請求項７】
前記第６レンズのアッベ数をν6とし、前記第７レンズのアッベ数をν7としたとき、アッベ数ν6、ν7は各々、以下の条件式
ν6≦３０
ν7≦５０
のいずれをも満たすことを特徴とする請求項１から６までの何れか一項に記載の広角レンズ。
【発明の詳細な説明】
【技術分野】
【０００１】
本発明は、各種撮像系に用いられる広角レンズに関するものである。
【背景技術】
【０００２】
広角レンズとして、物体側から像側に向けて、像側に凹面を向けた第１レンズ、像側に凹面を向けた第２レンズ、物体側に凹面を向けた第３レンズ、像側に凸面を向けた第４レンズ、第５レンズ、および第６レンズが順に配置され、第５レンズおよび第６レンズが、正のパワーを有する接合レンズを構成している５群６枚のレンズ構成が提案されている（特許文献１参照）。
【先行技術文献】
【特許文献】
【０００３】
【特許文献１】特開２０１５−３４９２２号公報
【発明の概要】
【発明が解決しようとする課題】
【０００４】
車載カメラや監視用カメラに用いる広角レンズにおいて、倍率色収差等の収差、温度変化に伴う焦点距離の変動、および温度変化に伴う画角の変動が小さいことが求められている。しかしながら、特許文献１に記載の広角レンズでは、収差の低減を目的に、絞りに対して像側で隣り合うレンズが、プラスチックレンズ同士を接合させた接合レンズである。このため、温度変化に伴う焦点距離の変動や、温度変化に伴う画角の変動が大きいという問題点がある。
【０００５】
以上の問題点に鑑みて、本発明の課題は、絞りに対して像側にプラスチックレンズ同士を接合させた接合レンズを配置した構成において、温度変化に伴う焦点距離の変動や、温度変化に伴う画角の変動を低減することのできる広角レンズを提供することにある。
【課題を解決するための手段】
【０００６】
上記課題を解決するために、本発明に係る広角レンズは、物体側から像側に向けて配置された第１レンズ、第２レンズ、第３レンズ、第４レンズ、絞り、第５レンズ、第６レンズ、および第７レンズからなり、前記第１レンズは、像側のレンズ面が凹曲面である負メニスカスレンズであり、前記第２レンズは、像側のレンズ面が凹曲面である負メニスカスレンズであり、前記第３レンズは、物体側のレンズ面が凹曲面であるメニスカスレンズであり、前記第４レンズは、像側のレンズ面が凸曲面である正レンズであり、前記第５レンズは、像側のレンズ面が凸曲面であるレンズであり、前記第６レンズは、像側のレンズ面が凹曲面である負レンズであり、前記第７レンズは、物体側のレンズおよび像側のレンズ面が凸曲面である両凸レンズであり、前記第２レンズ、前記第３レンズ、前記第４レンズ、前記第６レンズ、および前記第７レンズはいずれも、プラスチックレンズであり、
前記第５レンズは、ガラスレンズであり、前記第６レンズおよび前記第７レンズは、前記第６レンズの像側のレンズ面と前記第７レンズの物体側のレンズ面とが接合された接合レンズを構成しており、前記第３レンズ、前記第４レンズ、および前記第５レンズの合成焦点距離をｆ345とし、レンズ系全体の焦点距離をｆ0としたとき、合成焦点距離ｆ345、および焦点距離ｆ0は、以下の条件式
１＜ｆ345／ｆ0＜１．５
を満たすことを特徴とする。
【０００７】
本発明では、絞りに対して像側に接合レンズ（第６レンズおよび第７レンズ）が配置さ
れているため、広角レンズの倍率色収差を低減することができる。また、接合レンズ（第６レンズおよび第７レンズ）は、プラスチックレンズであるが、絞りと接合レンズとの間にガラスレンズからなる第５レンズが配置されているため、温度変化に伴う焦点位置の変動や、温度変化に伴う画角の変動を低減することができる。また、焦点距離の比（ｆ345／ｆ0）が下限（１）を超えているため、物体側に配置されたレンズのパワーが強くなりすぎることを回避することができる。従って、像面湾曲、倍率色収差、コマ収差等の各種収差の補正を適正に行うことができ、高い光学特性を実現することができる。また、焦点距離の比（ｆ345／ｆ0）が上限（１．５）未満である。このため、レンズ径や物像間距離を小さくすることができるので、広角レンズの小型化を図ることができる。
【０００８】
本発明において、前記第３レンズおよび前記第４レンズの合成焦点距離をｆ34とし、前記第５レンズの焦点距離をｆ5とし、レンズ系全体の焦点距離をｆ0としたとき、合成焦点距離ｆ34、焦点距離ｆ5、および焦点距離ｆ0は、以下の条件式
２＜ｆ34／ｆ0＜５．５
２＜ｆ5／ｆ0＜３
のいずれをも満たす態様を採用することができる。かかる態様によれば、焦点距離の比（ｆ34／ｆ0、ｆ5／ｆ0）が上記の下限を超えているため、物体側に配置されたレンズのパワーが強くなりすぎることを回避することができる。従って、像面湾曲、倍率色収差、コマ収差等の各種収差の補正を適正に行うことができ、高い光学特性を実現することができる。また、焦点距離の比（ｆ34／ｆ0、ｆ5／ｆ0）が上記の上限未満である。このため、レンズ径や物像間距離を小さくすることができるので、広角レンズの小型化を図ることができる。
【０００９】
本発明において、前記第５レンズは、物体側のレンズ面、および像側のレンズ面が凸曲面である両凸レンズであり、前記第６レンズは、物体側のレンズ面、および像側のレンズ面が凹曲面である両凹レンズである態様を採用することができる。絞りと隣り合うレンズは、感度が高いため、絞りと隣り合うレンズの位置決め精度やレンズの厚さ精度が光学特性に影響を及ぼしやすい。また、プラスチックレンズはレンズ面の周りにフランジ部を有するため、フランジ部を利用して精度よく位置決めできるが、ガラスレンズは、プラスチックレンズと違って、レンズ面の周りにフランジ部がない。このため、ガラスレンズは、位置決め精度が低下しやすい。また、プラスチックレンズは、成形により製作するため、レンズの厚さ精度が高いが、ガラスレンズは、レンズ面を研磨するため、レンズの厚さ精度が低下しやすい。しかるに本発明では、ガラスレンズからなる第５レンズに像側で隣り合う第６レンズの物体側のレンズ面を凹曲面としたため、第５レンズにおいて、位置決め精度や厚さ精度の低下が発生した場合でも、第６レンズの物体側のレンズ面への入射位置の変動を抑制することができる。
【００１０】
本発明において、前記第５レンズの像側のレンズ面の光軸中心における曲率半径をＲ52とし、前記第６レンズの物体側のレンズ面の光軸中心における曲率半径をＲ61としたとき、曲率半径Ｒ52、Ｒ61は、以下の条件式
０．８＜Ｒ61／Ｒ52＜２．５
を満たす態様を採用することができる。かかる態様によれば、第５レンズの像側のレンズ面の曲率半径Ｒ52と、第６レンズの物体側のレンズ面の曲率半径Ｒ61とが比較的近い値であるので、第５レンズにおいて、位置決め精度や厚さ精度の低下が発生した場合でも、第６レンズの物体側のレンズ面への入射位置の変動を抑制することができる。
【００１１】
本発明において、曲率半径Ｒ52、Ｒ61は、以下の条件式
０．９＜Ｒ61／Ｒ52＜１．１
を満たす態様を採用することができる。かかる態様によれば、第５レンズの像側のレンズ面の曲率半径Ｒ52と、第６レンズの物体側のレンズ面の曲率半径Ｒ61とが、かなり近い値
であるので、第５レンズにおいて、位置決め精度や厚さ精度の低下が発生した場合でも、第６レンズの物体側のレンズ面への入射位置の変動を抑制することができる。
【００１２】
本発明において、前記第５レンズの物体側のレンズ面の光軸中心における曲率半径をＲ51とし、前記第５レンズの像側のレンズ面の光軸中心における曲率半径をＲ52としたとき、曲率半径Ｒ51、Ｒ52は、以下の条件式
｜Ｒ52｜≦｜Ｒ51｜
を満たす態様を採用することができる。かかる態様によれば、像面湾曲、倍率色収差、コマ収差等の各種収差の補正を行いやすい。
【００１３】
本発明において、前記第６レンズのアッベ数をν6とし、前記第７レンズのアッベ数をν7としたとき、アッベ数ν6、ν7は各々、以下の条件式
ν6≦３０
ν7≦５０
のいずれをも満たす態様を採用することができる。かかる態様によれば、倍率色収差を適正なレベルまで低減することができる。
【発明の効果】
【００１４】
本発明では、絞りに対して像側に接合レンズ（第６レンズおよび第７レンズ）が配置されているため、広角レンズの倍率色収差を低減することができる。また、接合レンズ（第６レンズおよび第７レンズ）は、プラスチックレンズであるが、絞りと接合レンズとの間にガラスレンズからなる第５レンズが配置されているため、温度変化に伴う焦点位置の変動や、温度変化に伴う画角の変動を低減することができる。また、焦点距離の比（ｆ345／ｆ0）が下限（１）を超えているため、物体側に配置されたレンズのパワーが強くなりすぎることを回避することができる。従って、像面湾曲、倍率色収差、コマ収差等の各種収差の補正を適正に行うことができ、高い光学特性を実現することができる。また、焦点距離の比（ｆ345／ｆ0）が上限（１．５）未満である。このため、レンズ径や物像間距離を小さくすることができるので、広角レンズの小型化を図ることができる。
【図面の簡単な説明】
【００１５】
【図１】本発明の実施例１に係る広角レンズの説明図。
【図２】図１に示す広角レンズの非点収差およびディストーションを示す説明図。
【図３】図１に示す広角レンズの倍率色収差を示す説明図。
【図４】図１に示す広角レンズの球面収差を示す説明図。
【図５】図１に示す広角レンズの横収差を示す説明図。
【図６】本発明の実施例２に係る広角レンズの説明図。
【図７】図６に示す広角レンズの非点収差およびディストーションを示す説明図。
【図８】図６に示す広角レンズの倍率色収差を示す説明図。
【図９】図６に示す広角レンズの球面収差を示す説明図。
【図１０】図６に示す広角レンズの横収差を示す説明図。
【図１１】本発明の実施例３に係る広角レンズの説明図。
【図１２】図１１に示す広角レンズの非点収差およびディストーションを示す説明図。
【図１３】図１１に示す広角レンズの倍率色収差を示す説明図。
【図１４】図１１に示す広角レンズの球面収差を示す説明図。
【図１５】図１１に示す広角レンズの横収差を示す説明図。
【発明を実施するための形態】
【００１６】
本発明を適用した広角レンズ１００として、実施例１、２、３を説明する。
［実施例１］
（全体構成）
図１は、本発明の実施例１に係る広角レンズ１００の説明図である。図２は、図１に示す広角レンズ１００の非点収差およびディストーションを示す説明図である。図３は、図１に示す広角レンズ１００の倍率色収差を示す説明図である。図４は、図１に示す広角レンズ１００の球面収差を示す説明図である。図５は、図１に示す広角レンズ１００の横収差を示す説明図である。
【００１７】
図１には、面番号をかっこ内に示し、非球面には「＊」を付してある。また、図１に示すレンズのうち、プラスチックレンズはレンズ面の外周側にフランジ部を有しているが、図１には、フランジ部の図示を省略してある。図２、図３、図４および図５には、赤色光Ｒ（波長６５６ｎｍ）、緑色光Ｇ（波長５８８ｎｍ）、および青色光Ｂ（波長４８６ｎｍ）における各収差を示してある。また、図２に示す非点収差に関しては、サジタル方向の特性にＳを付し、タンジェンシャル方向の特性にＴを付してある。また、図２に示すディストーションとは、撮像中央部と周辺部における像の変化比率を示し、ディストーションをあらわす数値の絶対値が小さいほど、高精度なレンズといえる。図５には、赤色光Ｒ、緑色光Ｇ、および青色光Ｂの各角度０．００ｄｅｇ、１０．００ｄｅｇ、２０．００ｄｅｇ、３０．００ｄｅｇ、４０．００ｄｅｇ、５０．００ｄｅｇ、６０．００ｄｅｇ、７０．００ｄｅｇ、および８０．００ｄｅｇにおける光軸に直交する２方向（ｙ方向およびｘ方向）の横収差を纏めて示してある。
【００１８】
図１に示す広角レンズ１００は、物体側Ｌａから像側Ｌｂに向けて配置された第１レンズ１０、第２レンズ２０、第３レンズ３０、第４レンズ４０、絞り９１、第５レンズ５０、第６レンズ６０、および第７レンズ７０からなる７枚のレンズを有している。第６レンズ６０および第７レンズ７０は、第６レンズ６０の像側Ｌｂのレンズ面６２と第７レンズ７０の物体側Ｌａのレンズ面７１とが接合された接合レンズ８０を構成しており、接合レンズ８０は、正のパワーを有している。接合レンズ８０に対して像側Ｌｂには、平板状の赤外線フィルタ９２、透光性のカバー９３、および撮像素子９４が順に配置されている。
【００１９】
本例の広角レンズ１００の各レンズの構成等は、表１に示す通りであり、表１には、広角レンズ１００の特性として以下の特性を示してある。
レンズ系全体の焦点距離ｆ0（Effective Focal Length）
物像間距離ｄ0（Total Track）
レンズ系全体のＦ値（Image Space F/#）
最大画角（Max. Field Angle）
水平画角（Max. Horizontal Field Angle）
【００２０】
また、表１には、各面（Surf）の以下の項目が示されている。
レン面の光軸中心における曲率半径（Radius）
厚さ（Thickness）
屈折率Ｎｄ
アッベ数νｄ
各レンズの焦点距離ｆ
合成焦点距離ｆｄ
【００２１】
なお、曲率半径、厚さ、焦点距離、直径の単位はｍｍである。ここで、レンズ面が物体側Ｌａに向けて突出した凸面あるいは物体側Ｌａに向けて凹んだ凹面である場合には、曲率半径を正の値とし、レンズ面が像側Ｌｂに向けて突出した凸面あるいは像側Ｌｂに向けて凹んだ凹面である場合、曲率半径を負の値としてある。また、正レンズ（正のパワーを有するレンズ）の焦点距離ｆを正の値とし、負レンズ（負のパワーを有するレンズ）の焦点距離ｆを負の値としてある。
【００２２】
【表１】
2019066645.tif 000003
【００２３】
表２には、広角レンズ１００に用いた非球面レンズの形状を下式（数１）で表した際の曲率半径の逆数ｃ、円錐係数Ｋ、および非球面係数Ａ4、Ａ6、Ａ8、Ａ10が示されている。下式においては、サグ量（光軸方向の軸）をＺ、光軸と垂直方向の高さ（光線高さ）をｒとしてある。
【００２４】
【表２】
2019066645.tif 000004
【００２５】
【数１】
2019066645.tif 000005
【００２６】
表１に示すように、本例の広角レンズ１００においては、レンズ系全体の焦点距離ｆ0は３．０７３ｍｍであり、物像間距離ｄ0は２０．５０６ｍｍであり、レンズ系全体のＦ値は２．０であり、最大画角は１６０ｄｅｇであり、水平画角は１６０ｄｅｇである。
【００２７】
第１レンズ１０は、像側Ｌｂのレンズ面１２（第２面（２））が凹曲面である負メニスカスレンズであり、物体側Ｌａのレンズ面１１（第１面（１））は凸曲面である。本例において、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．８０４、かつ、アッベ数が４６．５のレンズ材料が用いられており、焦点距離は−８．００９ｍｍである。
【００２８】
第２レンズ２０は、像側Ｌｂのレンズ面２２（第４面（４））が凹曲面である負メニスカスレンズであり、物体側Ｌａのレンズ面２１（第３面（３））は凸曲面である。第２レンズ２０は、アクリル樹脂系、ポリカーボネート系、ポリオレフィン系等からなるプラスチックレンズであり、物体側Ｌａのレンズ面２１（第３面（３））、および像側Ｌｂのレンズ面２２（第４面（４））はいずれも、非球面である。第２レンズ２０には、屈折率が１．５１２、かつ、アッベ数が５６．３のレンズ材料が用いられており、焦点距離は−８．８９１である。
【００２９】
第３レンズ３０は、物体側Ｌａのレンズ面３１（第５面（５））が凹曲面であるメニスカスレンズであり、像側Ｌｂのレンズ面３２（第６面（６））が凸曲面である。本例において、第３レンズ３０は、正メニスカスレンズである。第３レンズ３０は、アクリル樹脂系、ポリカーボネート系、ポリオレフィン系等からなるプラスチックレンズであり、物体側Ｌａのレンズ面３１（第５面（５））、および像側Ｌｂのレンズ面３２（第６面（６））はいずれも、非球面である。第３レンズ３０には、屈折率が１．６６５、かつ、アッベ数が２０．３のレンズ材料が用いられており、焦点距離は５３．０４４である。
【００３０】
第４レンズ４０は、像側Ｌｂのレンズ面４２（第８面（８））が凸曲面である正レンズである。本例において、第４レンズ４０は、物体Ｌａのレンズ面４１（第７面（７））が凹曲面である正メニスカスレンズである。第４レンズ４０は、アクリル樹脂系、ポリカーボネート系、ポリオレフィン系等からなるプラスチックレンズであり、物体側Ｌａのレンズ面４１（第７面（７））、および像側Ｌｂのレンズ面７２（第８面（８））はいずれも、非球面である。第４レンズ４０には、屈折率が１．５４４、かつ、アッベ数が５６．２のレンズ材料が用いられており、焦点距離は９．３５５である。
【００３１】
第５レンズ５０は、像側Ｌｂのレンズ面５２（第１１面（１１））が凸曲面であるレンズである。本例において、第５レンズ５０は、物体側Ｌａのレンズ面５１（第１０面（１０））、および像側Ｌｂのレンズ面５２（第１１面（１１））のいずれもが凸曲面である両凸レンズである。第５レンズ５０はガラスレンズであり、物体側Ｌａのレンズ面５１（第１０面（１０））、および像側Ｌｂのレンズ面５２（第１０面（１１））はいずれも球面である。第５レンズ５０には、屈折率が１．８７１、かつ、アッベ数が４０．７のレンズ材料が用いられており、焦点距離は６．２９３ｍｍである。
【００３２】
第６レンズ６０は、像側のレンズ面６２が凹曲面である負レンズである。本例において、第６レンズ６０は、物体側Ｌａのレンズ面６１（第１２面（１２））、および像側Ｌｂのレンズ面６２のいずれもが凹曲面である両凹レンズである。第６レンズ６０は、アクリル樹脂系、ポリカーボネート系、ポリオレフィン系等からなるプラスチックレンズであり、物体側Ｌａのレンズ面６１（第１２面（１２））、および像側Ｌｂのレンズ面６２はいずれも、非球面である。第６レンズ６０には、屈折率が１．６３５、かつ、アッベ数が２４．０のレンズ材料が用いられており、焦点距離は−２．８５９である。
【００３３】
第７レンズ７０は、物体側Ｌａのレンズ面７１、および像側Ｌｂのレンズ面７２（第１４面（１４））が凸曲面である両凸レンズであり、正のパワーを有している。第７レンズ７０は、アクリル樹脂系、ポリカーボネート系、ポリオレフィン系等からなるプラスチックレンズであり、物体側Ｌａのレンズ面７１、および像側Ｌｂのレンズ面７２（第１４面（１４））はいずれも、非球面である。第７レンズ７０には、屈折率が１．５４４、かつ、アッベ数が５６．２のレンズ材料が用いられており、焦点距離は３．７０２である。
【００３４】
ここで、第６レンズ６０の像側Ｌｂのレンズ面６２と、第７レンズ７０の物体側Ｌａのレンズ面７１とは、同一形状に形成されており、第６レンズ６０と第７レンズ７０とは、第６レンズ６０の像側Ｌｂのレンズ面６２と第７レンズ７０の物体側Ｌａのレンズ面７１とが樹脂により接合された接合レンズ８０を構成している。従って、第６レンズ６０の像側Ｌｂのレンズ面６２と第７レンズ７０の物体側Ｌａのレンズ面７１との接合面を第１３面（１３）としてある。接合レンズ８０の焦点距離は３８．８７８である。本例において、樹脂材は、ＵＶ硬化型の接着剤である。接着剤は、硬化後も弾性を有する材質であることが好ましい。
【００３５】
本形態では、第４レンズ４０と第５レンズ５０との間に配置された絞り９１によって第９面（９）が構成され、赤外線フィルタ９２の物体側Ｌａの面９２１によって第１５面（１５）が構成され、像側Ｌｂの面９２２によって第１６面（１６）が構成されている。また、カバー９３の物体側Ｌａの面９３１によって第１７面（１７）が構成され、カバー９３の像側Ｌｂの面９３２によって第１８面（１８）が構成されている。
【００３６】
広角レンズ１００において、第１レンズ１０、および第２レンズ２０の合成焦点距離ｆ12は、−３．８４３ｍｍであり、第１レンズ１０、第２レンズ２０、および第３レンズ３０の合成焦点距離ｆ123は、−４．８０６ｍｍである。第３レンズ３０、および第４レンズ４０の合成焦点距離ｆ34は、７．７００ｍｍであり、第４レンズ４０、および第５レンズ５０の合成焦点距離ｆ45は、４．０４３ｍｍであり、第３レンズ３０、第４レンズ４０、および第５レンズ５０の合成焦点距離ｆ345は、３．６７０ｍｍである。
【００３７】
図２〜図５に示すように、本例の広角レンズ１００においては、非点収差（ディストーション）、倍率色収差、球面収差、および横収差が適正なレベルまで補正されている。
【００３８】
このように構成した広角レンズ１００では、絞り９１に対して像側Ｌｂに接合レンズ８０（第６レンズ６０および第７レンズ７０）が配置されているため、広角レンズ１００の倍率色収差を低減することができる。また、接合レンズ８０（第６レンズ６０および第７レンズ７０）は、プラスチックレンズであるが、絞り９１と接合レンズ８０との間にガラスレンズからなる第５レンズ５０が配置されているため、温度変化に伴う焦点位置の変動や、温度変化に伴う画角の変動を低減することができる。
【００３９】
また、第５レンズ５０は凸レンズであり、第６レンズ６０は両凹レンズであるため、絞り９１と隣り合う第５レンズ５０の位置決め精度やレンズの厚さ精度が光学特性に影響を
及ぼしにくい。すなわち、絞りと隣り合うレンズは、感度が高いため、絞りと隣り合うレンズの位置決め精度やレンズの厚さ精度が光学特性に影響を及ぼしやすい。また、プラスチックレンズはレンズ面の周りにフランジ部を有するため、フランジ部を利用して精度よく位置決めできるが、ガラスレンズは、プラスチックレンズと違って、レンズ面の周りにフランジ部がない。このため、ガラスレンズは、位置決め精度が低下しやすい。また、プラスチックレンズは、成形により製作するため、レンズの厚さ精度が高いが、ガラスレンズは、レンズ面を研磨するため、レンズの厚さ精度が低下しやすい。しかるに本形態では、ガラスレンズからなる第５レンズ５０に像側で隣り合う第６レンズ６０の物体側Ｌａのレンズ面６１を凹曲面としたため、第５レンズ５０において、位置決め精度や厚さ精度の低下が発生した場合でも、第６レンズ６０の物体側Ｌａのレンズ面６１への入射位置の変動を抑制することができる。
【００４０】
（条件式等の説明）
本例の広角レンズ１００において、以下に説明する条件式（１）〜（７）に関連する各値を表３に示してある。本例の広角レンズ１００は、以下の条件式（１）〜（７）を満たすため、図２〜図５に示すレンズ特性を有する等の効果を奏する。なお、表３には、後述する実施例２、３の各値も示してある。また、表３に示す値や以下に説明する値は、四捨五入による端数処理を行ってある。
【００４１】
【表３】
2019066645.tif 000006
【００４２】
まず、本例では、第３レンズ３０、第４レンズ４０、および第５レンズの合成焦点距離ｆ345、およびレンズ系全体の焦点距離ｆ0は、以下の条件式（１）
１＜ｆ345／ｆ0＜１．５  ・・・条件式（１）
を満たしている。より具体的には、合成焦点距離ｆ345は、３．６７０ｍｍであり、レンズ系全体の焦点距離ｆ0は３．０７３ｍｍであり、焦点距離の比（ｆ345／ｆ0）は、１．１９４である。従って、焦点距離の比（ｆ345／ｆ0）が下限（１）を超えているため、物体側Ｌａに配置されたレンズのパワーが強くなりすぎることを回避することができる。従って、像面湾曲、倍率色収差、コマ収差等の各種収差の補正を適正に行うことができ、高い光学特性を実現することができる。また、焦点距離の比（ｆ345／ｆ0）が上限（１．５）未満である。このため、レンズ径や物像間距離を小さくすることができるので、広角レンズ１００の小型化を図ることができる。
【００４３】
第３レンズ３０および第４レンズ４０の合成焦点距離ｆ34、第５レンズ５０の焦点距離ｆ5、およびレンズ系全体の焦点距離ｆ0は、以下の条件式（２）、（３）
２＜ｆ34／ｆ0＜５．５  ・・・条件式（２）
２＜ｆ5／ｆ0＜３  ・・・条件式（３）
のいずれをも満たしている。より具体的には、合成焦点距離ｆ34は７．７００ｍｍであり、第５レンズ５０の焦点距離ｆ5は６．２９３ｍｍであり、焦点距離の比（ｆ34／ｆ0）は２．５０５であり、焦点距離の比（ｆ5／ｆ0）は２．０４８である。従って、焦点距離の比（ｆ34／ｆ0、ｆ5／ｆ0）が上記の下限を超えているため、物体側Ｌａに配置されたレンズのパワーが強くなりすぎることを回避することができる。従って、像面湾曲、倍率色収差、コマ収差等の各種収差の補正を適正に行うことができ、高い光学特性を実現することができる。また、焦点距離の比（ｆ34／ｆ0、ｆ5／ｆ0）が上記の上限未満である。このため、レンズ径や物像間距離を小さくすることができるので、広角レンズ１００の小型化を図ることができる。
【００４４】
第５レンズ５０の像側Ｌｂのレンズ面５２の光軸中心における曲率半径Ｒ52、および第６レンズ６０の物体側Ｌａのレンズ面６１の光軸中心における曲率半径Ｒ61は、以下の条件式（４）
０．８＜Ｒ61／Ｒ52＜２．５    ・・・条件式（４）
を満たしている。具体的には、第５レンズ５０の像側Ｌｂのレンズ面５２の光軸中心における曲率半径Ｒ52は−１０．３５ｍｍであり、第６レンズ６０の物体側Ｌａのレンズ面６１の光軸中心における曲率半径Ｒ61は−１０．９７０ｍｍであり、曲率半径の比（Ｒ61／Ｒ52）は１．０６０である。従って、曲率半径Ｒ52、Ｒ61が、比較的近い値であるので、第５レンズ５０において、位置決め精度や厚さ精度の低下が発生した場合でも、第６レンズ６０の物体側Ｌａのレンズ面６１への入射位置の変動を抑制することができる。
【００４５】
さらに、本例では、曲率半径Ｒ52、Ｒ61は、以下の条件式
０．９＜Ｒ61／Ｒ52＜１．１
を満たしている。従って、曲率半径Ｒ52、Ｒ61が、かなり近い値であるので、第５レンズ５０において、位置決め精度や厚さ精度の低下が発生した場合でも、第６レンズ６０の物体側Ｌａのレンズ面６１への入射位置の変動をより抑制することができる。
【００４６】
また、曲率半径Ｒ51、Ｒ52は、以下の条件式（５）
｜Ｒ52｜≦｜Ｒ51｜    ・・・条件式（５）
を満たしている。具体的には、第５レンズ５０の像側Ｌｂのレンズ面５２の光軸中心における曲率半径Ｒ52は−１０．３５ｍｍであり、第５レンズ５０の物体側Ｌａのレンズ面５１の光軸中心における曲率半径Ｒ51は１０．３５ｍｍである。従って、条件式（５）を満たしているので、像面湾曲、倍率色収差、コマ収差等の各種収差の補正を行いやすい。
【００４７】
第６レンズのアッベ数ν6、および第７レンズのアッベ数ν7は各々、以下の条件式（６）、（７）
ν6≦３０    ・・・条件式（６）
ν7≦５０    ・・・条件式（７）
のいずれをも満たしている。より具体的には、第６レンズのアッベ数ν6は２４．０であり、第７レンズのアッベ数ν7は５６．２である。従って、倍率色収差を適正なレベルまで低減することができる。
【００４８】
［実施例２］
図６は、本発明の実施例２に係る広角レンズ１００の説明図である。図７は、図６に示す広角レンズ１００の非点収差およびディストーションを示す説明図である。図８は、図６に示す広角レンズ１００の倍率色収差を示す説明図である。図９は、図６に示す広角レンズ１００の球面収差を示す説明図である。図１０は、図６に示す広角レンズ１００の横収差を示す説明図である。図１０には、赤色光Ｒ、緑色光Ｇ、および青色光Ｂの各角度０．００ｄｅｇ、３０．１１ｄｅｇ、４０．９０ｄｅｇ、６１．７２ｄｅｇ、７１．８４ｄ
ｅｇ、および９５．０４ｄｅｇにおける光軸に直交する２方向（ｙ方向およびｘ方向）の横収差を纏めて示してある。
【００４９】
図６に示す広角レンズ１００も、実施例１と同様、物体側Ｌａから像側Ｌｂに向けて配置された第１レンズ１０、第２レンズ２０、第３レンズ３０、第４レンズ４０、絞り９１、第５レンズ５０、第６レンズ６０、および第７レンズ７０からなる７枚のレンズを有している。第６レンズ６０および第７レンズ７０は、第６レンズ６０の像側Ｌｂのレンズ面６２と第７レンズ７０の物体側Ｌａのレンズ面７１とが接合された接合レンズ８０を構成しており、接合レンズ８０は、正のパワーを有している。接合レンズ８０に対して像側Ｌｂには、平板状の赤外線フィルタ９２、透光性のカバー９３、および撮像素子９４が順に配置されている。
【００５０】
本例の広角レンズ１００の各レンズの構成等は、表４に示す通りであり、非球面レンズの曲率半径の逆数ｃ、円錐係数Ｋ、および非球面係数Ａ4、Ａ6、Ａ8、Ａ10は、表５に示す通りである。
【００５１】
【表４】
2019066645.tif 000007
【００５２】
【表５】
2019066645.tif 000008
【００５３】
表４に示すように、本例の広角レンズ１００においては、レンズ系全体の焦点距離ｆ0は２．５７３ｍｍであり、物像間距離ｄ0は２０．５０５ｍｍであり、レンズ系全体のＦ値は２．０であり、最大画角は１９０ｄｅｇであり、水平画角は２００ｄｅｇである。
【００５４】
第１レンズ１０は、像側Ｌｂのレンズ面１２（第２面（２））が凹曲面である負メニスカスレンズであり、物体側Ｌａのレンズ面１１（第１面（１））は凸曲面である。本例において、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．７７３、かつ、アッベ数が４９．６のレンズ材料が用いられており、焦点距離は−１０．５８５ｍｍである。
【００５５】
第２レンズ２０は、像側Ｌｂのレンズ面２２（第４面（４））が凹曲面である負メニスカスレンズであり、物体側Ｌａのレンズ面２１（第３面（３））は凸曲面である。第２レンズ２０はプラスチックレンズであり、物体側Ｌａのレンズ面２１（第３面（３））、および像側Ｌｂのレンズ面２２（第４面（４））はいずれも、非球面である。第２レンズ２０には、屈折率が１．５３６、かつ、アッベ数が５６．０のレンズ材料が用いられており、焦点距離は−８．２０４である。
【００５６】
第３レンズ３０は、物体側Ｌａのレンズ面３１（第５面（５））が凹曲面であるメニスカスレンズであり、像側Ｌｂのレンズ面３２（第６面（６））が凸曲面である。本例において、第３レンズ３０は、負メニスカスレンズである。第３レンズ３０はプラスチックレンズであり、物体側Ｌａのレンズ面３１（第５面（５））、および像側Ｌｂのレンズ面３２（第６面（６））はいずれも、非球面である。第３レンズ３０には、屈折率が１．５３６、かつ、アッベ数が５６．０のレンズ材料が用いられており、焦点距離は−１２４．６３１である。
【００５７】
第４レンズ４０は、像側Ｌｂのレンズ面４２（第８面（８））が凸曲面である正レンズである。本例において、第４レンズ４０は、物体Ｌａのレンズ面４１（第７面（７））が凸曲面である両凸レンズである。第４レンズ４０は、プラスチックレンズであり、物体側Ｌａのレンズ面４１（第７面（７））、および像側Ｌｂのレンズ面７２（第８面（８））はいずれも、非球面である。第４レンズ４０には、屈折率が１．５４４、かつ、アッベ数が５６．２のレンズ材料が用いられており、焦点距離は８．３２０である。
【００５８】
第５レンズ５０は、像側Ｌｂのレンズ面５２（第１１面（１１））が凸曲面であるレンズである。本例において、第５レンズ５０は、物体側Ｌａのレンズ面５１（第１０面（１０））、および像側Ｌｂのレンズ面５２（第１１面（１１））のいずれもが凸曲面である両凸レンズである。第５レンズ５０はガラスレンズであり、物体側Ｌａのレンズ面５１（第１０面（１０））、および像側Ｌｂのレンズ面５２（第１０面（１１））はいずれも球面である。第５レンズ５０には、屈折率が１．８７１、かつ、アッベ数が４０．７のレンズ材料が用いられており、焦点距離は５．８５８ｍｍである。
【００５９】
第６レンズ６０は、像側のレンズ面６２が凹曲面である負レンズである。本例において、第６レンズ６０は、物体側Ｌａのレンズ面６１（第１２面（１２））、および像側Ｌｂのレンズ面６２のいずれもが凹曲面である両凹レンズである。第６レンズ６０はプラスチックレンズであり、物体側Ｌａのレンズ面６１（第１２面（１２））、および像側Ｌｂのレンズ面６２はいずれも、非球面である。第６レンズ６０には、屈折率が１．６３５、かつ、アッベ数が２４．０のレンズ材料が用いられており、焦点距離は−２．８３１である。
【００６０】
第７レンズ７０は、物体側Ｌａのレンズ面７１、および像側Ｌｂのレンズ面７２（第１４面（１４））が凸曲面である両凸レンズであり、正のパワーを有している。第７レンズ７０は、プラスチックレンズであり、物体側Ｌａのレンズ面７１、および像側Ｌｂのレンズ面７２（第１４面（１４））はいずれも、非球面である。第７レンズ７０には、屈折率が１．５４４、かつ、アッベ数が５５．５のレンズ材料が用いられており、焦点距離は３．５２２である。
【００６１】
ここで、第６レンズ６０と第７レンズ７０とは、第６レンズ６０の像側Ｌｂのレンズ面６２と第７レンズ７０の物体側Ｌａのレンズ面７１とが樹脂により接合された接合レンズ８０を構成している。従って、第６レンズ６０の像側Ｌｂのレンズ面６２と第７レンズ７０の物体側Ｌａのレンズ面７１との接合面を第１３面（１３）としてある。接合レンズ８０の焦点距離は４２．１３５である。
【００６２】
広角レンズ１００において、第１レンズ１０、および第２レンズ２０の合成焦点距離ｆ12は、−４．１４７ｍｍであり、第１レンズ１０、第２レンズ２０、および第３レンズ３０の合成焦点距離ｆ123は、−４．４６９ｍｍである。第３レンズ３０、および第４レンズ４０の合成焦点距離ｆ34は、７．５６７ｍｍであり、第４レンズ４０、および第５レンズ５０の合成焦点距離ｆ45は、３．９６９３ｍｍであり、第３レンズ３０、第４レンズ４０、および第５レンズ５０の合成焦点距離ｆ345は、３．４６８ｍｍである。図７〜図１０に示すように、本例の広角レンズ１００においては、非点収差（ディストーション）、倍率色収差、球面収差、および横収差が適正なレベルまで補正されている。
【００６３】
このように構成した広角レンズ１００でも、実施例１と同様、絞り９１に対して像側Ｌｂに接合レンズ８０（第６レンズ６０および第７レンズ７０）が配置されているため、広角レンズ１００の倍率色収差を低減することができる。また、接合レンズ８０（第６レンズ６０および第７レンズ７０）は、プラスチックレンズであるが、絞り９１と接合レンズ８０との間にガラスレンズからなる第５レンズ５０が配置されているため、温度変化に伴う焦点位置の変動や、温度変化に伴う画角の変動を低減することができる等、実施例１と同様な効果を奏する。
【００６４】
本例の広角レンズ１００においては、表３に示すように、条件式（１）〜（７）を満たしている。まず、本例では、第３レンズ３０、第４レンズ４０、および第５レンズの合成焦点距離ｆ345は、３．４６８ｍｍであり、レンズ系全体の焦点距離ｆ0は２．５７３ｍｍであり、焦点距離の比（ｆ345／ｆ0）は、１．３４８である。従って、条件式（１）を満
たしているので、高い光学特性を実現することができる。また、レンズ径や物像間距離を小さくすることができるので、広角レンズ１００の小型化を図ることができる。
【００６５】
第３レンズ３０および第４レンズ４０の合成焦点距離ｆ34は７．５６７ｍｍであり、第５レンズ５０の焦点距離ｆ5は５．８５８であり、焦点距離の比（ｆ34／ｆ0）は２．９４２であり、焦点距離の比（ｆ5／ｆ0）は２．２７７である。従って、条件式８２）、（３）を満たしているので、高い光学特性を実現することができる。また、レンズ径や物像間距離を小さくすることができるので、広角レンズ１００の小型化を図ることができる。
【００６６】
第５レンズ５０の像側Ｌｂのレンズ面５２の光軸中心における曲率半径Ｒ52は−５．８３５ｍｍであり、第６レンズ６０の物体側Ｌａのレンズ面６１の光軸中心における曲率半径Ｒ61は−１３．０５０ｍｍであり、曲率半径の比（Ｒ61／Ｒ52）は２．２３７である。従って、条件式（４）を満たしているので、第５レンズ５０において、位置決め精度や厚さ精度の低下が発生した場合でも、第６レンズ６０の物体側Ｌａのレンズ面６１への入射位置の変動を抑制することができる。
【００６７】
第５レンズ５０の像側Ｌｂのレンズ面５２の光軸中心における曲率半径Ｒ52は−１３．０５０ｍｍであり、第５レンズ５０の物体側Ｌａのレンズ面５１の光軸中心における曲率半径Ｒ51は３３．４２１ｍｍである。従って、条件式（５）を満たしているので、像面湾曲、倍率色収差、コマ収差等の各種収差の補正を行いやすい。
【００６８】
第６レンズのアッベ数ν6は２４．０であり、第７レンズのアッベ数ν7は５５．５である。従って、条件式（６）、（７）を満たしているので、倍率色収差を適正なレベルまで低減することができる。
【００６９】
［実施例３］
図１１は、本発明の実施例３に係る広角レンズ１００の説明図である。図１２は、図１１に示す広角レンズ１００の非点収差およびディストーションを示す説明図である。図１３は、図１１に示す広角レンズ１００の倍率色収差を示す説明図である。図１４は、図１１に示す広角レンズ１００の球面収差を示す説明図である。図１５は、図１１に示す広角レンズ１００の横収差を示す説明図である。図１５には、赤色光Ｒ、緑色光Ｇ、および青色光Ｂの各角度０．００ｄｅｇ、２５．４６ｄｅｇ、３８．０４ｄｅｇ、５２．２９ｄｅｇ、６０．８３ｄｅｇ、８０．２６ｄｅｇ、および８４．７３ｄｅｇにおける光軸に直交する２方向（ｙ方向およびｘ方向）の横収差を纏めて示してある。
【００７０】
図１１に示す広角レンズ１００も、実施例１と同様、物体側Ｌａから像側Ｌｂに向けて配置された第１レンズ１０、第２レンズ２０、第３レンズ３０、第４レンズ４０、絞り９１、第５レンズ５０、第６レンズ６０、および第７レンズ７０からなる７枚のレンズを有している。第６レンズ６０および第７レンズ７０は、第６レンズ６０の像側Ｌｂのレンズ面６２と第７レンズ７０の物体側Ｌａのレンズ面７１とが接合された接合レンズ８０を構成しており、接合レンズ８０は、正のパワーを有している。接合レンズ８０に対して像側Ｌｂには、平板状の赤外線フィルタ９２、透光性のカバー９３、および撮像素子９４が順に配置されている。
【００７１】
本例の広角レンズ１００の各レンズの構成等は、表６に示す通りであり、非球面レンズの曲率半径の逆数ｃ、円錐係数Ｋ、および非球面係数Ａ4、Ａ6、Ａ8、Ａ10は、表７に示す通りである。
【００７２】
【表６】
2019066645.tif 000009
【００７３】
【表７】
2019066645.tif 000010
【００７４】
表６に示すように、本例の広角レンズ１００においては、レンズ系全体の焦点距離ｆ0は３．０６３ｍｍであり、物像間距離ｄ0は１９．９８７ｍｍであり、レンズ系全体のＦ値は２．０であり、最大画角は１９０ｄｅｇであり、水平画角は１６１ｄｅｇである。
【００７５】
第１レンズ１０は、像側Ｌｂのレンズ面１２（第２面（２））が凹曲面である負メニスカスレンズであり、物体側Ｌａのレンズ面１１（第１面（１））は凸曲面である。本例に
おいて、第１レンズ１０は、ガラスレンズであり、物体側Ｌａのレンズ面１１（第１面（１））、および像側Ｌｂのレンズ面１２（第２面（２））はいずれも、球面である。第１レンズ１０には、屈折率が１．８０４、かつ、アッベ数が４６．５のレンズ材料が用いられており、焦点距離は−１３．４４２ｍｍである。
【００７６】
第２レンズ２０は、像側Ｌｂのレンズ面２２（第４面（４））が凹曲面である負メニスカスレンズであり、物体側Ｌａのレンズ面２１（第３面（３））は凸曲面である。第２レンズ２０はプラスチックレンズであり、物体側Ｌａのレンズ面２１（第３面（３））、および像側Ｌｂのレンズ面２２（第４面（４））はいずれも、非球面である。第２レンズ２０には、屈折率が１．５３６、かつ、アッベ数が５６．０のレンズ材料が用いられており、焦点距離は−８．８４２である。
【００７７】
第３レンズ３０は、物体側Ｌａのレンズ面３１（第５面（５））が凹曲面であるメニスカスレンズであり、像側Ｌｂのレンズ面３２（第６面（６））が凸曲面である。本例において、第３レンズ３０は、負メニスカスレンズである。第３レンズ３０はプラスチックレンズであり、物体側Ｌａのレンズ面３１（第５面（５））、および像側Ｌｂのレンズ面３２（第６面（６））はいずれも、非球面である。第３レンズ３０には、屈折率が１．５３１、かつ、アッベ数が５５．８のレンズ材料が用いられており、焦点距離は−１０．３１１である。
【００７８】
第４レンズ４０は、像側Ｌｂのレンズ面４２（第８面（８））が凸曲面である正レンズである。本例において、第４レンズ４０は、物体Ｌａのレンズ面４１（第７面（７））が凸曲面である両凸レンズである。第４レンズ４０は、プラスチックレンズであり、物体側Ｌａのレンズ面４１（第７面（７））、および像側Ｌｂのレンズ面７２（第８面（８））はいずれも、非球面である。第４レンズ４０には、屈折率が１．５４４、かつ、アッベ数が５６．２のレンズ材料が用いられており、焦点距離は７．２９９である。
【００７９】
第５レンズ５０は、像側Ｌｂのレンズ面５２（第１１面（１１））が凸曲面であるレンズである。本例において、第５レンズ５０は、物体側Ｌａのレンズ面５１（第１０面（１０））、および像側Ｌｂのレンズ面５２（第１１面（１１））のいずれもが凸曲面である両凸レンズである。第５レンズ５０はガラスレンズであり、物体側Ｌａのレンズ面５１（第１０面（１０））、および像側Ｌｂのレンズ面５２（第１０面（１１））はいずれも球面である。第５レンズ５０には、屈折率が１．７８６、かつ、アッベ数が４３．９のレンズ材料が用いられており、焦点距離は７．２３７ｍｍである。
【００８０】
第６レンズ６０は、像側のレンズ面６２が凹曲面である負レンズである。本例において、第６レンズ６０は、物体側Ｌａのレンズ面６１（第１２面（１２））が凸曲面である負メニスカスである。第６レンズ６０はプラスチックレンズであり、物体側Ｌａのレンズ面６１（第１２面（１２））、および像側Ｌｂのレンズ面６２はいずれも、非球面である。第６レンズ６０には、屈折率が１．６３５、かつ、アッベ数が２４．０のレンズ材料が用いられており、焦点距離は−２．９６８である。
【００８１】
第７レンズ７０は、物体側Ｌａのレンズ面７１、および像側Ｌｂのレンズ面７２（第１４面（１４））が凸曲面である両凸レンズであり、正のパワーを有している。第７レンズ７０は、プラスチックレンズであり、物体側Ｌａのレンズ面７１、および像側Ｌｂのレンズ面７２（第１４面（１４））はいずれも、非球面である。第７レンズ７０には、屈折率が１．５３１、かつ、アッベ数が５５．５のレンズ材料が用いられており、焦点距離は２．９７６である。
【００８２】
ここで、第６レンズ６０と第７レンズ７０とは、第６レンズ６０の像側Ｌｂのレンズ面
６２と第７レンズ７０の物体側Ｌａのレンズ面７１とが樹脂により接合された接合レンズ８０を構成している。従って、第６レンズ６０の像側Ｌｂのレンズ面６２と第７レンズ７０の物体側Ｌａのレンズ面７１との接合面を第１３面（１３）としてある。接合レンズ８０の焦点距離は１９．８４１である。
【００８３】
広角レンズ１００において、第１レンズ１０、および第２レンズ２０の合成焦点距離ｆ12は、−５．０６４ｍｍであり、第１レンズ１０、第２レンズ２０、および第３レンズ３０の合成焦点距離ｆ123は、−２．８０１ｍｍである。第３レンズ３０、および第４レンズ４０の合成焦点距離ｆ34は、１５．５３７ｍｍであり、第４レンズ４０、および第５レンズ５０の合成焦点距離ｆ45は、３．８８３ｍｍであり、第３レンズ３０、第４レンズ４０、および第５レンズ５０の合成焦点距離ｆ345は、４．５７０ｍｍである。図１２〜図１５に示すように、本例の広角レンズ１００においては、非点収差（ディストーション）、倍率色収差、球面収差、および横収差が適正なレベルまで補正されている。
【００８４】
このように構成した広角レンズ１００でも、実施例１と同様、絞り９１に対して像側Ｌｂに接合レンズ８０（第６レンズ６０および第７レンズ７０）が配置されているため、広角レンズ１００の倍率色収差を低減することができる。また、接合レンズ８０（第６レンズ６０および第７レンズ７０）は、プラスチックレンズであるが、絞り９１と接合レンズ８０との間にガラスレンズからなる第５レンズ５０が配置されているため、温度変化に伴う焦点位置の変動や、温度変化に伴う画角の変動を低減することができる等、実施例１と同様な効果を奏する。
【００８５】
本例の広角レンズ１００においては、表３に示すように、条件式（１）〜（３）、（５）〜（７）を満たしている。まず、本例では、第３レンズ３０、第４レンズ４０、および第５レンズの合成焦点距離ｆ345は、４．５７０ｍｍであり、レンズ系全体の焦点距離ｆ0は３．０６３ｍｍであり、焦点距離の比（ｆ345／ｆ0）は、１．４９２である。従って、条件式（１）を満たしているので、高い光学特性を実現することができる。また、レンズ径や物像間距離を小さくすることができるので、広角レンズ１００の小型化を図ることができる。
【００８６】
第３レンズ３０および第４レンズ４０の合成焦点距離ｆ34は１５．５３７ｍｍであり、第５レンズ５０の焦点距離ｆ5は７．２３７であり、焦点距離の比（ｆ34／ｆ0）は５．０７３であり、焦点距離の比（ｆ5／ｆ0）は２．３６３である。従って、条件式（２）、（３）を満たしているので、高い光学特性を実現することができる。また、レンズ径や物像間距離を小さくすることができるので、広角レンズ１００の小型化を図ることができる。
【００８７】
第５レンズ５０の像側Ｌｂのレンズ面５２の光軸中心における曲率半径Ｒ52は−８．６１６ｍｍであり、第５レンズ５０の物体側Ｌａのレンズ面５１の光軸中心における曲率半径Ｒ51は１５．０７６ｍｍである。従って、条件式（５）を満たしているので、像面湾曲、倍率色収差、コマ収差等の各種収差の補正を行いやすい。
【００８８】
第６レンズのアッベ数ν6は２４．０であり、第７レンズのアッベ数ν7は５５．５である。従って、条件式（６）、（７）を満たしているので、倍率色収差を適正なレベルまで低減することができる。
【００８９】
［他の実施の形態］
以上、本発明を実施例１、２、３に基づいて説明したが、本発明の趣旨を逸脱しない範囲で、レンズ構成を適宜変更することができる。例えば、上記実施例では、第１レンズ１０がガラスレンズであったが、プラスチックレンズであってもよい。この場合、第１レンズ１０の像側Ｌｂのレンズ面１１を非球面とすることができる。
【符号の説明】
【００９０】
１０…第１レンズ、２０…第２レンズ、３０…第３レンズ、４０…第４レンズ、５０…第５レンズ、６０…第６レンズ、７０…第７レンズ、８０…接合レンズ、９１…絞り、９４…撮像素子、１００…広角レンズ
【図１】
2019066645.tif 000011
【図２】
2019066645.tif 000012
【図３】
2019066645.tif 000013
【図４】
2019066645.tif 000014
【図５】
2019066645.tif 000015
【図６】
2019066645.tif 000016
【図７】
2019066645.tif 000017
【図８】
2019066645.tif 000018
【図９】
2019066645.tif 000019
【図１０】
2019066645.tif 000020
【図１１】
2019066645.tif 000021
【図１２】
2019066645.tif 000022
【図１３】
2019066645.tif 000023
【図１４】
2019066645.tif 000024
【図１５】
2019066645.tif 000025